(57)【要約】【課題】手間や労力をそれほど必要とせずにメロンやトマト、イチゴを良好に栽培でき、害虫や雑草、病気の発生を抑えることができ、土壌汚染も防止できる栽培装置を提供する。【解決手段】土壌が入った栽培箱１０と、素焼きの多孔質セラミックで形成され閉塞された筒状をなし注水口および空気抜き孔が形設されて栽培箱内の土壌中に埋設される潅水器具１２と、潅水器具の注水口に一端部が連通接続された注水チューブ６０と、注水チューブの他端部が連通接続される水流出口および給水タンク６４に流路接続された給水管６２が連通接続される水導入口を有する貯水容器３２、貯水容器内に溜められる水量を一定に調整する手段、および、貯水容器内における水面が潅水器具より低くなるように貯水容器を保持する手段を有する水位調整器具１４と、潅水器具の空気抜き孔が大気に連通するのを遮断する水位確認用チューブ８４とを備えて栽培装置を構成した。【選択図】      図１
2004215556.tif 000002
【特許請求の範囲】
【請求項１】
土壌が入った栽培箱と、
少なくとも筒面が素焼きの多孔質セラミックで形成され、閉塞された筒状をなし、注水口および空気抜き孔が形設されて、前記栽培箱内の土壌中に埋設される潅水器具と、
この潅水器具の前記注水口に一端部が連通接続された注水チューブと、
この注水チューブの他端部が連通接続される水流出口および給水源に流路接続された給水管が連通接続される水導入口を有する貯水容器、この貯水容器内に溜められる水量を一定に調整する貯水量調整手段、ならびに、前記貯水容器内における水面が前記潅水器具より低くなるように貯水容器を保持する保持手段を有する水位調整器具と、
前記潅水器具の空気抜き孔が大気に連通するのを遮断する通気遮断手段と、
を備えたことを特徴とする果実・果菜の栽培装置。
【請求項２】
前記水位調整器具の貯水容器の底部を貫通するように水導入管部を貯水容器に一体的に固着して、その水導入管部に前記水導入口が形設され、水導入管部の、貯水容器内部に挿入された他端部に、弁体に連接されたフロートが上昇および下降することにより弁座に形成された水流入口が閉塞および開放されるフロート式開閉弁を取着した請求項１記載の果実・果菜の栽培装置。
【請求項３】
前記潅水器具の中空部にロックウールが充填された請求項１または請求項２記載の果実・果菜の栽培装置。
【請求項４】
前記潅水器具の空気抜き孔に水位確認用チューブが連通接続され、その水位確認用チューブがＵ字状に折曲された状態で垂下されて、その下端折曲部が、前記水位調整器具の貯水容器内における水面より下方に配置されるとともに、最上部分が、水位調整器具の貯水容器内における水面より上方に配置されるように保持され、この水位確認用チューブが前記通気遮断手段とされた請求項１ないし請求項３のいずれかに記載の果実・果菜の栽培装置。
【請求項５】
前記栽培箱の底面が金網もしくは多孔板で形成され、その栽培箱の下方の床表面が防水加工された請求項１ないし請求項４のいずれかに記載の果実・果菜の栽培装置。
【発明の詳細な説明】
【０００１】
【発明の属する技術分野】
この発明は、メロン、イチゴ等の果実やトマト、キュウリ、ナス等の果菜を栽培するのに使用される果実・果菜の栽培装置に関する。
【０００２】
【従来の技術】
例えばメロンは、一般に、温室ハウス内で栽培されている。このようなメロンのハウス栽培では、頻繁に適量の水やりを行って、必要かつ十分な水を与え続けることが大切である。また、トマトなどの栽培では、水やりの手間を省くために、土を使わない水耕栽培も行われており、各種の水耕栽培法が提案されている（例えば、特許文献１参照。）。
【０００３】
【特許文献１】
特開平８−４７３３４号公報（第２頁、図１−図３）
【０００４】
【発明が解決しようとする課題】
メロンのハウス栽培では、種まきから収穫までの短くても１００日前後の期間、例えば１日に５〜６回程度の水やりを怠りなく続けなければならず、相当な手間と労力を必要とする。また、頻繁な水やりのため、ハウス内は、湿度が９０％前後となる。この結果、アブラムシ等の害虫が発生しやすくなり、また、雑草も生えやすくなり、そして、病気が発生しやすい環境となる。このため、薬剤を散布してハウス内を消毒する必要があり、例えば１週間に２〜３回程度、温度が４０℃〜５０℃にもなるハウス内で薬剤散布作業を行う必要があり、農業従事者の健康管理と苦労が大変である。また、薬剤の散布によって土壌が汚染される、といった問題点もある。
【０００５】
一方、水耕栽培においては、外部から菌が持ち込まれて養水が汚染されたりすると、全ての作物が収穫不能となってしまう。このため、水質の管理には細心の注意を払う必要があり、水質管理のための手間が大変で、監視機器等の管理のためのコストも高くなる、といった問題点がある。
【０００６】
この発明は、以上のような事情に鑑みてなされたものであり、手間や労力をそれほど必要としなくてもメロン等の果実やトマト等の果菜を良好に栽培することができ、害虫が発生しにくく、雑草も生えにくく、病気の発生を抑えることができ、土壌汚染も防止することができ、特別な水質管理も不要である果実・果菜の栽培装置を提供することを目的とする。
【０００７】
【課題を解決するための手段】
請求項１に係る発明は、果実や果菜を栽培するために使用される果実・果菜の栽培装置において、土壌が入った栽培箱と、少なくとも筒面が素焼きの多孔質セラミックで形成され、閉塞された筒状をなし、注水口および空気抜き孔が形設されて、前記栽培箱内の土壌中に埋設される潅水器具と、この潅水器具の前記注水口に一端部が連通接続された注水チューブと、この注水チューブの他端部が連通接続される水流出口および給水源に流路接続された給水管が連通接続される水導入口を有する貯水容器、この貯水容器内に溜められる水量を一定に調整する貯水量調整手段、ならびに、前記貯水容器内における水面が前記潅水器具より低くなるように貯水容器を保持する保持手段を有する水位調整器具と、前記潅水器具の空気抜き孔が大気に連通するのを遮断する通気遮断手段と、を備えたことを特徴とする。
【０００８】
請求項２に係る発明は、請求項１記載の栽培装置において、前記水位調整器具の貯水容器の底部を貫通するように水導入管部を貯水容器に一体的に固着して、その水導入管部に前記水導入口が形設され、水導入管部の、貯水容器内部に挿入された他端部に、弁体に連接されたフロートが上昇および下降することにより弁座に形成された水流入口が閉塞および開放されるフロート式開閉弁を取着したことを特徴とする。
【０００９】
請求項３に係る発明は、請求項１または請求項２記載の栽培装置において、前記潅水器具の中空部にロックウールが充填されたことを特徴とする。
【００１０】
請求項４に係る発明は、請求項１ないし請求項３のいずれかに記載の栽培装置において、前記潅水器具の空気抜き孔に水位確認用チューブが連通接続され、その水位確認用チューブがＵ字状に折曲された状態で垂下されて、その下端折曲部が、前記水位調整器具の貯水容器内における水面より下方に配置されるとともに、最上部分が、水位調整器具の貯水容器内における水面より上方に配置されるように保持され、この水位確認用チューブが前記通気遮断手段とされたことを特徴とする。
【００１１】
請求項５に係る発明は、請求項１ないし請求項４のいずれかに記載の栽培装置において、前記栽培箱の底面が金網もしくは多孔板で形成され、その栽培箱の下方の床表面が防水加工されたことを特徴とする。
【００１２】
請求項１に係る発明の果実・果菜の栽培装置においては、給水源から給水管を通って水位調整器具の貯水容器に水が供給され、貯水量調整手段による調整動作によって、貯水容器内には常に一定量の水が溜められる。そして、最初に、栽培箱内に入った土壌中に埋設された潅水器具内および注水チューブ内に水が充満した状態にする。これには、水が溜まった貯水容器を潅水器具より高い位置まで持ち上げることにより、貯水容器内から注水チューブを通って潅水器具内へ水が注入されるようにする。このとき、潅水器具内に存在する空気は、潅水器具内へ流入する水により空気抜き孔を通って外部へ押し出される。潅水器具内および注水チューブ内に水が満たされると、通気遮断手段によって潅水器具の空気抜き孔と大気との連通が遮断される状態とした後、保持手段によって貯水容器を、その貯水容器内における水面が潅水器具より低くなるように保持する。
【００１３】
このように、貯水容器内における水面が潅水器具より低くされた状態では、潅水器具内の水に対しては貯水容器内における水面と潅水器具との高さ位置の差によるヘッド圧が作用しないので、ヘッド（落差）により潅水器具から土壌中に水が滲出することはない。したがって、潅水器具から土壌中へ必要以上の水が供給されることはない。一方、潅水器具内および注水チューブ内には水が満たされるとともに、潅水器具の空気抜き孔は大気との連通が遮断されているので、潅水器具内および注水チューブ内に水が密封された状態に維持され、潅水器具内から貯水容器の方へ水が逆流することはない。この状態では、土壌の水分吸引力により潅水器具内の水が、その筒面をなす素焼きの多孔質セラミックの微細孔を通って土壌中へ滲出し、土壌が必要とするだけの水分が供給されることとなる。そして、潅水器具から土壌中へ供給された水を補充するように、貯水容器内から注水チューブを通って潅水器具内へ水が注水され、貯水容器内には、給水源から給水管を通って水が補充され、貯水量調整手段によって貯水容器内に常に一定量の水が溜まるように調整される。
【００１４】
請求項２に係る発明の栽培装置では、水導入管部を通って導入される水が、水導入管部の端部に設けられた弁座に形成された水流入口から貯水容器内へ流入する。そして、貯水容器内に水が溜まっていって水面位置が上昇することにより、フロートが浮力によって浮き上がる。このフロートの上昇に伴い、フロートに連接された弁体が上方へ移動して弁座に密接し、弁座に形成された水流入口が弁体によって閉塞される。これにより、貯水容器内への水の供給が止まる。一方、貯水容器内から注水チューブ内へ水が流出して貯水容器内における水面位置が下降すると、水面上に浮いているフロートも下降する。このフロートの下降に伴い、フロートに連接された弁体が下方へ移動して弁座から離間し、弁座に形成された水流入口が開放される。これにより、水導入管部を通り水流入口を通って貯水容器内へ水が流入し、上記したように再びフロートが上昇して、弁座に形成された水流入口が弁体によって閉塞されると、貯水容器内への水の供給が止まる。以上のような動作により、貯水容器内に常に一定量の水が溜まるように調整される。
【００１５】
請求項３に係る発明の栽培装置では、潅水器具の中空部にロックウールが充填されていることにより、潅水器具内へ注入される水に含まれている鉄分や水あかなどがロックウールに吸着保持される。このため、鉄分や水あかなどが除かれた水が潅水器具の筒面をなす素焼きの多孔質セラミックの微細孔を通過して土壌中へ滲出することになるので、鉄分や水あかなどによって多孔質セラミックの微細孔が目詰りを起こすことが防止される。
【００１６】
請求項４に係る発明の栽培装置では、最初に、水が溜まった貯水容器を潅水器具より高い位置まで持ち上げて、貯水容器内から注水チューブを通して潅水器具内へ水を注入し、潅水器具内および注水チューブ内に水を充満させる際に、潅水器具内に存在する空気が空気抜き孔を通って外部へ全て排出された後にも、さらに、潅水器具内から空気抜き孔を通して水位確認用チューブ内へ水を注入し、水位確認用チューブ内に水を充填する。このように、水位確認用チューブ内に水が充填されることにより、水位確認用チューブ内の水によって潅水器具の空気抜き孔と大気との連通が遮断されることになる。そして、水が充填されＵ字状に折曲された状態で垂下された水位確認用チューブの下端折曲部を、水位調整器具の貯水容器内における水面より下方に配置するとともに、水位確認用チューブの最上部分、例えば上部先端口を、水位調整器具の貯水容器内における水面より上方に配置することにより、水位確認用チューブ内に充填された水の液面高さによって水位調整器具の貯水容器内における水位を確認することが可能になる。
【００１７】
請求項５に係る発明の栽培装置では、栽培箱の底面が金網もしくは多孔板で形成されているので、何らかの原因で土壌への給水量が多くなり過ぎると、栽培箱の底面から水滴が滴下するといったことが起こるため、それを観察して、給水量が多くなり過ぎないように調節することが可能になる。そして、栽培箱の下方の床表面は防水加工されているので、栽培箱の底面から水滴が滴下しても特に問題が無い。
【００１８】
【発明の実施の形態】
以下、この発明の好適な実施形態について図面を参照しながら説明する。
【００１９】
図１ないし図３は、この発明の実施形態の１例を示し、図１は、果実・果菜の栽培装置の正面図であり、図２は、その平面図であり、図３は、その側面図である。なお、潅水器具は、土壌中に埋設された状態で使用されるが（図４参照）、図１ないし図３においては、理解しやすくするため、土壌の図示を省略して潅水器具を露呈させた状態で描いている。
【００２０】
この果実・果菜の栽培装置は、土壌が入った栽培箱１０、この栽培箱１０の内部に配置され土壌中に水を滲出させて供給する潅水器具１２、この潅水器具１２へ注水するとともに水位を一定に保つ水位調整器具１４などを備えて構成されている。栽培箱１０は、ブロック１６上に置かれて固設されており、図１に示すように、必要により複数の栽培箱１０が並列して設置される。栽培箱１０は、その底面が細かい網目の金網で形成されている。金網の代わりに、多数の小孔が形成された多孔板によって栽培箱１０の底面を形成するようにしてもよい。そして、栽培箱１０の下方の床表面が防水加工されている。
【００２１】
潅水器具１２は、図４に縦断面図を示すように、栽培箱１０内に入った土壌１７中に埋設される。この潅水器具１２は、図５に縦断面図を示すように、一端が閉塞され他端が開口した円筒状をなし素焼きの多孔質セラミックで形成されたセラミックカップ１８と、プラスチックで形成されセラミックカップ１８の開口側に嵌着されてその開口面を閉塞する覆蓋部２０とから構成されている。覆蓋部２０には、注水口２２および空気抜き孔２４がそれぞれ形設されており、注水口２２および空気抜き孔２４にそれぞれ連通する接続用管部２６、２８が一体的に設けられている。また、セラミックカップ１８の内部にはロックウール３０が充填されている。このようにセラミックカップ１８の内部にロックウール３０を充填しておくと、潅水器具１２内へ注入される水に含まれている鉄分や水あかなどがロックウール３０に吸着保持されるため、潅水器具１２内の水がセラミックカップ１８の壁面の微細孔を通過して土壌中へ滲出するときに、その水には鉄分や水あかなどが含まれなくなって、鉄分や水あかなどでセラミックカップ１８の壁面の微細孔が目詰りを起こすことが防止されるので、好ましい。
【００２２】
水位調整器具１４は、潅水器具１２へ注入する水が貯留される貯水容器３２、この貯水容器３２を支持する支持皿３４、固定部に固定されて垂設され鉛直姿勢に支持桿３８が取着された支柱３６、この支柱３６の支持桿３８に摺動自在に挿通される貫通孔が形設されるとともに、支持桿３８に固定するための止め具４２を有し、支持皿３４に一体的に連接されて支持皿３４を片持ち式に保持する保持部材４０、および、貯水容器３２内に溜められる水量を一定に調整する貯水量調整機構を備えて構成されている。そして、支柱３６の支持桿３８に沿って保持部材４０を支持皿３４と一体に上下方向へ移動させ、適当な高さ位置において止め具４２で保持部材４０を支持桿３８に固定することにより、貯水容器３２の高さ位置を調節することができるようになっている。
【００２３】
貯水容器３２は、図６に縦断面図を示すように、円筒部４４、この円筒部４４に一体的に固着され円筒部４４の底部を閉塞する底板４６、および、円筒部４４の上端部に着脱可能に嵌合され上面開口を閉塞する蓋部４８から形成されている。底板４６には、水流出口５０が形設されており、その水流出口５０に連通する接続用管部５２が一体的に設けられている。また、底板４６の中心部には、底板４６を貫通するように水導入管部５４が一体的に固着されており、その水導入管部５４に水導入口５６が形設され、その水導入口５６に連通する接続用管部５８が水導入管部５４に接続されている。水流出口５０に連通する接続用管部５２には、注水チューブ６０の一端部が接続され、注水チューブ６０の他端部は、潅水器具１２の注水口２２に連通する接続用管部２６接続されている。また、水導入口５６に連通する接続用管部５８には、給水管６２の一端部が接続され、給水管の他端部は、給水タンク６４に流路接続された給水用配管６６に連通接続されている。給水用配管６６は、地面近くに敷設されている。
【００２４】
貯水量調整機構は、図６に示すように、水導入管部５４の、貯水容器３２内部に挿入された上端部に取着されたフロート式開閉弁６８で構成されている。フロート式開閉弁６８は、貯水容器３２内に収容されたフロート７０、中心部に水流入口７６が形成された弁座７４を上端部に有し、水導入管部５４の上端部に螺着された管状部材７２、フロート７０の下端部中心に固着され、弁座７４の水流入口７６を貫通して管状部材７２内に挿入された連接軸７８、および、連接軸７８の下端部に垂直に固着された小円板状の弁体８０から構成されている。そして、弁座７４に形成された水流入口７６は、弁体８０に連接されたフロート７０が上昇および下降することにより、弁体８０によって閉塞および開放されるようになっている。このフロート式開閉弁６８の動作を、貯水容器３２の一部を拡大した図７および図８に基づいて説明する。
【００２５】
図７に示すように、貯水容器３２内にフロート７０を浮上させる量の水８２が溜まっていない状態では、弁体８０が弁座７４から離間しており、水流入口７６は開放されている。このため、給水タンク６４から給水用配管６６および給水管６２を通って水導入管部５４内へ供給される水は、水導入管部５４から管状部材７２を通って水流入口７６から貯水容器３２内へ流入する。貯水容器３２内に水８２が溜まっていって水面位置が上昇すると、フロート７０が浮力によって次第に浮き上がる。そして、図８に示すように、貯水容器３２内に十分な量の水８２が溜まって、フロート７０が上昇すると、フロート７０に連接された弁体８０も上方へ移動して弁座７４に密接し、弁座７４に形成された水流入口７６が弁体８０によって閉塞される。これにより、貯水容器３２内への水の供給が止まる。
【００２６】
一方、貯水容器３２内の水８２が水流出口５０から注水チューブ６０内へ流出して、貯水容器３２内における水面位置が下降すると、水面上に浮いているフロート７０も下降する。このフロート７０の下降に伴い、フロート７０に連接された弁体８０も下方へ移動して弁座７４から離間し、弁座７４に形成された水流入口７６が開放される。これにより、水導入管部５４から管状部材７２を通り水流入口７６を通って貯水容器３２内へ水が流入する。そして、図８に示したように再びフロート７０が上昇して、弁座７４に形成された水流入口７６が弁体８０によって閉塞されると、貯水容器３２内への水の供給が止まる。以上のような動作を繰り返すことにより、貯水容器３２内に常に一定量の水が溜まるように調整される。
【００２７】
貯水容器３２は、その内部に一定量の水が溜まった状態において、貯水容器３２内における水面が栽培箱１０内の潅水器具１２の下端位置より低くなるように設置される。この貯水容器３２の高さ位置の調節は、予め、上述したように支柱３６の支持桿３８に沿って保持部材４０を上下方向へ移動させ、支持皿３４が適当な高さ位置に配置されたときに止め具４２によって保持部材４０を支持桿３８に固定することにより行っておく。
【００２８】
潅水器具１２の空気抜き孔２４に連通する接続用管部２８には、図９に示すように、水位確認用チューブ８４が接続される。水位確認用チューブ８４は、Ｕ字状に折曲された状態で垂下される。そして、水位確認用チューブ８４は、その下端折曲部８６が、水位調整器具１４の貯水容器３２内における水面より下方に配置されるとともに、上部先端口８８（二点鎖線で示すように、水位確認用チューブ８４の先端部が逆Ｕ字状に折曲されているようなときには、上端折曲部９０）が、水位調整器具１４の貯水容器３２内における水面より上方に配置されるように、適当な保持具（図示せず）によって保持されるようにする。この水位確認用チューブ８４は、後述するように、水位調整器具１４の貯水容器３２内における水位を確認することができるほか、潅水器具１２の空気抜き孔２４が大気に連通するのを遮断する機能を併せ持つ。
【００２９】
以上のような構成を備えた果実・果菜の栽培装置においては、上記したように、給水タンク６４から給水用配管６６および給水管６２を通って水位調整器具１４の貯水容器３２内へ水が供給され、貯水容器３２内に常に一定量の水が溜められる。そして、水が溜まった貯水容器３２を潅水器具１２より高い位置まで持ち上げることにより、貯水容器３２内から注水チューブ６０を通って潅水器具１２内へ水を注入する。このとき、潅水器具１２内に存在する空気は、潅水器具１２内へ流入する水により空気抜き孔２４を通って潅水器具１２から押し出される。
【００３０】
潅水器具１２内に存在する空気が潅水器具１２から全て排出され、潅水器具１２内に水が充満した後にも、引き続いて潅水器具１２内へ注水する。これにより、潅水器具１２内から空気抜き孔２４を通って水位確認用チューブ８４内へ水が注入される。このようにして水位確認用チューブ８４内に水が充填されると、水位確認用チューブ８４内の水によって潅水器具１２の空気抜き孔２４と大気との連通が遮断されることになり、潅水器具１２内への空気の流入が阻止される。
【００３１】
潅水器具１２内および注水チューブ６０内ならびに水位確認用チューブ８４内に水が満たされると、上記したように高さ位置が調節された支持皿３４上に貯水容器３２を載置して、貯水容器３２を、その貯水容器３２内における水面が潅水器具１２より低くなるように保持する。また、このとき、水が充填されＵ字状に折曲された状態で垂下された水位確認用チューブ８４の下端折曲部８６が、水位調整器具１４の貯水容器３２内における水面より下方に配置されるとともに、水位確認用チューブ８４の上部先端口８８が、水位調整器具１４の貯水容器３２内における水面より上方に配置されることにより、水位確認用チューブ８４内に充填された水の液面９２の高さによって水位調整器具１４の貯水容器３２内における水位を確認することができるようになっている。
【００３２】
上記したように貯水容器３２内における水面が潅水器具１２より低くされた状態においては、潅水器具１２内の水に対して貯水容器３２内における水面と潅水器具１２との高さ位置の差によるヘッド圧が作用しない。このため、ヘッド圧の作用で潅水器具１２から土壌中に水が滲出することはないので、潅水器具１２から土壌中へ必要以上の水が供給されることがない。一方、潅水器具１２内および注水チューブ６０内には水が満たされるとともに、潅水器具１２の空気抜き孔２４は、水位確認用チューブ８４内の水によって大気との連通が遮断されているので、潅水器具１２内および注水チューブ６０内に水が密封された状態に維持される。したがって、潅水器具１２内から貯水容器３２の方へ水が逆流することはない。この状態においては、土壌の水分吸引力により潅水器具１２内の水が、その壁面をなす素焼きの多孔質セラミックの微細孔を通って土壌中へ滲出し、土壌が必要とするだけの水分が供給されることとなる。そして、潅水器具１２から土壌中へ供給された水を補充するように、貯水容器３２内から注水チューブ６０を通って潅水器具１２内へ水が注水される。また、貯水容器３２内には、給水タンク６４から給水用配管６６および給水管６２を通って水が補充され、貯水容器３２内に常に一定量の水が溜まった状態に維持される。
【００３３】
また、栽培箱１０の底面が金網で形成されているので、何らかの原因で土壌へ供給される水分が多くなり過ぎると、栽培箱１０の底面から水滴が滴下するといったことが起こる。このため、そのような事態が観察されたときは、給水量が多くなり過ぎないように調節する。そして、栽培箱１０の下方の床表面は防水加工されているので、栽培箱１０の底面から水漏れしても特に問題が無い。
【００３４】
なお、貯水容器３２の保持機構や潅水器具１２の空気抜き孔２４と大気との連通を遮断する通気遮断手段は、上記した実施形態のものに限らないし、貯水容器３２内に溜められる水量を一定に調整する貯水量調整機構についても、フロート式開閉弁以外の機構のものを採用しても構わない。
【００３５】
【発明の効果】
請求項１に係る発明の果実・果菜の栽培装置を使用すると、手間や労力をそれほど掛けなくてもメロン等の果実やトマト等の果菜を栽培することができ、給水が理想的に行われるため、栽培期間が短縮されるとともに味が良好で大きく生育した果実や果菜が得られる。また、害虫が発生しにくく、雑草も生えにくく、病気の発生を抑えることができ、特別な水質管理も不要になる。
【００３６】
請求項２に係る発明の栽培装置では、貯水容器内に常に一定量の水が溜まるように確実に調整することができる。
【００３７】
請求項３に係る発明の栽培装置では、水に含まれている鉄分や水あかなどによって潅水器具の多孔質セラミックの微細孔が目詰りを起こすことを防止することができる。
【００３８】
請求項４に係る発明の栽培装置では、簡易な構成により、潅水器具の空気抜き孔と大気との連通を確実に遮断することができ、また、水位調整器具の貯水容器内における水位を確認することができる。
【００３９】
請求項５に係る発明の栽培装置では、土壌への給水量が多くなり過ぎたときに、給水量を調節することができる。
【図面の簡単な説明】
【図１】この発明の実施形態の１例を示す果実・果菜の栽培装置の正面図である。
【図２】図１に示した栽培装置の平面図である。
【図３】図１に示した栽培装置の側面図である。
【図４】図１に示した栽培装置の構成要素である栽培箱の縦断面図である。
【図５】図１に示した栽培装置の構成要素である潅水器具の縦断面図である。
【図６】図１に示した栽培装置の構成要素である貯水容器の縦断面図である。
【図７】図１に示した栽培装置の構成要素であるフロート式開閉弁の動作を説明するための図であって、貯水容器の一部を拡大した縦断面図である。
【図８】同じくフロート式開閉弁の動作を説明するための図であって、貯水容器の一部を拡大した縦断面図である。
【図９】図１に示した栽培装置の構成要素である水位確認用チューブを潅水器具と共に示す正面図である。
【符号の説明】
１０  栽培箱
１２  潅水器具
１４  水位調整器具
１７  土壌
１８  セラミックカップ
２０  覆蓋部
２２  注水口
２４  空気抜き孔
２６、２８、５２、５８  接続用管部
３０  ロックウール
３２  貯水容器
３４  支持皿
３６  支柱
３８  支持桿
４０  保持部材
４２  止め具
４４  円筒部
４６  底板
４８  蓋部
５０  水流出口
５４  水導入管部
５６  水導入口
６０  注水チューブ
６２  給水管
６４  給水タンク
６６  給水用配管
６８  フロート式開閉弁
７０  フロート
７２  管状部材
７４  弁座
７６  水流入口
７８  連接軸
８０  弁体
８２  水
８４  水位確認用チューブ
８６  水位確認用チューブの下端折曲部
８８  水位確認用チューブの上部先端口
９０  水位確認用チューブの上端折曲部
９２  水位確認用チューブ内の水の液面
【図１】
2004215556.tif 000003
【図２】
2004215556.tif 000004
【図３】
2004215556.tif 000005
【図４】
2004215556.tif 000006
【図５】
2004215556.tif 000007
【図６】
2004215556.tif 000008
【図７】
2004215556.tif 000009
【図８】
2004215556.tif 000010
【図９】
2004215556.tif 000011